【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
埋め込み式医療機器と通信するシステムであって、
出力信号を前記埋め込み式医療機器に送信し、入力信号を前記埋め込み式医療機器から受信するように構成された複数のアンテナを含むダイバーシチ・アンテナ・システムと、
前記出力信号を変調することによって出力データ・フレームを送信するように、また前記入力信号を復調することによって入力データ・フレームを受信するように適合された送受信器と、
前記ダイバーシチ・アンテナ・システムと前記送受信器の間に結合され、アンテナ選択信号に従って前記ダイバーシチ・アンテナ・システムのアンテナを前記送受信器に接続するように適合されたスイッチ回路を含むアンテナ・インタフェース回路と、
前記アンテナ選択信号を生成するように適合されたアンテナ制御回路と
を備え、前記アンテナ制御回路が、
予め決めた通信プロトコルに基づいて、入力信号監視信号を生成するように適合された入力信号監視タイマと、
前記入力信号監視タイマに結合され、前記入力信号監視信号それぞれに応答して、前記入力信号の少なくとも１つの品質尺度を検出することによって、前記入力信号の品質指示を生成するように適合された入力信号監視回路と、
前記入力信号監視回路と前記スイッチ回路に結合され、前記入力信号の前記品質指示に基づいて、前記アンテナ選択信号を調節するように適合されたアンテナ・セレクタとを含むシステム。
【請求項２】
前記出力信号を送信し、前記入力信号を受信するために、前記スイッチ回路が、前記ダイバーシチ・アンテナ・システムの前記アンテナを前記送受信器に接続するように適合された請求項１に記載のシステム。
【請求項３】
前記送受信器が、前記出力データ・フレームの複数のデータ・フレームをそれぞれが含む多フレーム・メッセージを送信するように適合された請求項１に記載のシステム。
【請求項４】
前記入力信号監視タイマが、前記予め決めた通信プロトコルに従って応答フレームの受信が予想される場合に、予め決めた応答時間間隔を計数開始する応答タイマを備え、前記応答フレームが、前記入力データ・フレームの１つであり、前記埋め込み式医療機器に送信される前記出力データ・フレームの１つまたは複数のフレームに応答し、前記入力信号監視回路が、前記予め決めた応答時間間隔中に応答障害を検出するように適合された応答障害検出器を備え、前記応答障害が、前記応答フレームに関連するデータ送信エラーである請求項１〜３のいずれか一項に記載のシステム。
【請求項５】
前記応答障害検出器が、前記予め決めた応答時間間隔中に前記応答フレームを検出するように適合された応答欠如検出器を備え、前記予め決めた応答時間間隔中に前記応答フレームが検出されない場合に、前記応答障害が検出される請求項４に記載のシステム。
【請求項６】
前記応答障害検出器が、前記予め決めた応答時間間隔中に前記応答フレームの受信を示すコンマを検出するように適合されたコンマ欠如検出器を備え、前記予め決めた応答時間間隔中に前記コンマが検出されない場合に、前記応答障害が検出される請求項４または５に記載のシステム。
【請求項７】
前記応答障害検出器が、前記予め決めた応答時間間隔中に前記応答フレーム内の巡回冗長検査（ＣＲＣ）障害を検出するように適合されたＣＲＣ障害検出器を備え、前記予め決めた応答時間間隔中に前記ＣＲＣ障害が検出された場合に、前記応答障害が検出される請求項４〜６のいずれか一項に記載のシステム。
【請求項８】
前記アンテナ制御回路がさらに、前記応答フレームの受信が予想される場合に、前記送受信器に接続された前記ダイバーシチ・アンテナ・システムの第１アンテナで前記多フレーム・メッセージの１つを送信している間に、予め決めた非応答期間を開始させる非応答期間タイマを備え、前記応答タイマが、前記応答フレームの受信が予想され、１つまたは複数の後続の応答フレームそれぞれの受信が予想される場合に、前記多フレーム・メッセージの前記１つの送信中に、前記予め決めた応答時間間隔を計数開始するように適合され、前記後続の応答フレームがそれぞれ、前記入力データ・フレームの１つであり、前記埋め込み式医療機器に送信された前記出力データ・フレームの１つまたは複数のフレームに応答する請求項４〜７のいずれか一項に記載のシステム。
【請求項９】
前記アンテナ・セレクタが、前記予め決めた応答時間間隔中に前記応答障害が検出されると、前記ダイバーシチ・アンテナ・システムの異なるアンテナを前記送受信器に接続するために、前記アンテナ選択信号を調節するように適合され、前記予め決めた非応答期間中に、前記データ送信エラーがない状態で、前記入力データ・フレームが受信されない場合、前記所定の非応答期間が尽きると、前記ダイバーシチ・アンテナ・システムの第２アンテナを前記送受信器に接続するために、前記アンテナ選択信号を調節するように適合された請求項８に記載のシステム。
【請求項１０】
前記アンテナ制御回路がさらに、前記多フレーム・メッセージの１つを送信する前に、前記送受信器に前記出力データ・フレームの試験フレームを送信させるアンテナ試験信号を生成する試験フレーム生成器を備え、前記応答タイマが、前記試験フレームの前記送信後に前記予め決めた応答時間間隔を計数開始するように適合された請求項４〜９のいずれか一項に記載のシステム。
【請求項１１】
前記アンテナ・セレクタが、前記予め決めた応答時間間隔中に前記応答障害が検出されると、前記ダイバーシチ・アンテナ・システムの異なるアンテナを前記送受信器に接続するために、前記アンテナ選択信号を調節するように適合された請求項１０に記載のシステム。
【請求項１２】
前記応答タイマが、前記応答フレームの受信が予想される場合に、前記多フレーム・メッセージの１つの送信中に前記予め決めた応答時間間隔を計数開始するように適合された請求項４〜１１のいずれか一項に記載のシステム。
【請求項１３】
前記アンテナ・セレクタが、前記多フレーム・メッセージの前記１つの前記送信中に、前記応答障害が検出された場合、前記多フレーム・メッセージの前記１つの前記送信後に、前記ダイバーシチ・アンテナ・システムの異なるアンテナを前記送受信器に接続するために、前記アンテナ選択信号を調節するように適合された請求項１２に記載のシステム。
【請求項１４】
前記アンテナ制御回路がさらに、それぞれが前記出力データ・フレームの所定数のデータ・フレームを送信する期間を含む送信期間を計時する送信期間タイマを備え、前記応答タイマが、前記応答フレームの受信が予想されると、前記送信期間それぞれの間に前記予め決めた応答時間間隔を計数開始するように適合された請求項４〜１３のいずれか一項に記載のシステム。
【請求項１５】
前記アンテナ・セレクタが、前記送信期間の前記それぞれの間に、前記応答障害が検出されると、前記応答期間の前記それぞれの終了時に、前記ダイバーシチ・アンテナ・システムの異なるアンテナを前記送受信器に接続するために、前記アンテナ選択信号を調節するように適合された請求項１４に記載のシステム。
【請求項１６】
前記入力信号監視タイマが、前記多フレーム・メッセージの１つの送信前に、信号強度計算信号を生成するように適合された信号強度計算タイマを含む請求項３〜１５のいずれか一項に記載のシステム。
【請求項１７】
前記入力信号監視回路が、
それぞれが前記ダイバーシチ・アンテナ・システムの１つのアンテナに関連する前記入力信号の強度を表す強度パラメータを測定する信号強度検出器と、
前記強度パラメータを記憶する信号強度記憶回路と、
前記信号強度計算信号に応答して、それぞれが前記強度パラメータの１つに関連し、前記強度パラメータのその１つの前記測定のタイミングに関連する前記強度パラメータと重み係数に基づいて、それぞれ前記ダイバーシチ・アンテナ・システムの１つのアンテナに関連する信号強度指数を計算する信号強度計算器とを備える請求項１６に記載のシステム。
【請求項１８】
前記アンテナ・セレクタが、前記信号強度指数に基づいて、前記ダイバーシチ・アンテナ・システムのアンテナを前記送受信器に接続するために、前記アンテナ選択信号を調節するように適合された請求項１７に記載のシステム。
【請求項１９】
埋め込み式医療機器と通信するシステムであって、
出力信号を前記埋め込み式医療機器に送信し、入力信号を前記埋め込み式医療機器から受信するように構成された複数のアンテナを含むダイバーシチ・アンテナ・システムと、
前記出力信号を変調することによって出力データ・フレームを送信するように、また前記入力信号を復調することによって入力データ・フレームを受信するように適合された送受信器と、
前記ダイバーシチ・アンテナ・システムと前記送受信器の間に結合されて、アンテナ選択信号に従って前記ダイバーシチ・アンテナ・システムのアンテナを前記送受信器に接続するように適合されたスイッチ回路を含むアンテナ・インタフェース回路と、
前記アンテナ選択信号を生成するように適合されたアンテナ制御回路と
を備え、前記アンテナ制御回路が、
前記送受信器に結合され、ヌルに関連するとされる送信障害を検出するように適合されたフェージング検出器と、
前記フェージング検出器に結合され、前記送信障害の検出に応答して、前記ダイバーシチ・アンテナ・システムの異なるアンテナを前記送受信器に接続するために、前記アンテナ選択信号を調節するように適合されたアンテナ・セレクタと、
前記アンテナ・セレクタと前記スイッチ回路の間に結合されて、前記出力データ・フレームのフレームが送信されるか、前記入力データ・フレームのフレームが受信されている間に、前記アンテナ選択信号を保留するように適合されたアンテナ切り換えタイミング回路とを含むシステム。
【請求項２０】
前記出力信号を送信し、前記入力信号を受信するために、前記スイッチ回路が、前記ダイバーシチ・アンテナ・システムの前記アンテナを前記送受信器に接続するように適合された請求項１９に記載のシステム。
【請求項２１】
前記フェージング検出器が、前記入力信号から、前記入力データ・フレームの少なくとも１つのフレームにおけるデータ送信エラーである入力フレーム障害を検出するように適合された入力フレーム障害検出器を備え、前記入力フレーム障害が示されると、前記アンテナ・セレクタが、前記ダイバーシチ・アンテナ・システムの前記異なるアンテナを前記送受信器に接続するために、前記アンテナ選択信号を調節するように適合された請求項１９または２０に記載のシステム。
【請求項２２】
前記入力フレーム障害検出器が、前記入力データ・フレームから巡回冗長検査（ＣＲＣ）障害を検出し、前記ＣＲＣ障害が検出されると、前記入力フレーム障害を示すように適合されたＣＲＣ障害検出器を備える請求項２１に記載のシステム。
【請求項２３】
前記入力フレーム障害検出器が、予め決めた時間ウィンドウ中に前記入力データ・フレームのフレームの受信を示すコンマを検出し、前記予め決めた時間ウィンドウ中に前記コンマが検出されない場合に、前記入力フレーム障害を示すように適合されたコンマ欠如検出器を備える請求項２１に記載のシステム。
【請求項２４】
前記フェージング検出器が、前記入力データ・フレームの少なくとも１つの応答フレームにおけるデータ送信エラーである応答障害を検出するように適合された応答障害検出器を備え、前記少なくとも１つの応答フレームは、前記出力データ・フレームのフレームの送信に応答し、前記アンテナ・セレクタは、前記応答障害が示されると、前記ダイバーシチ・アンテナ・システムの前記異なるアンテナを前記送受信器に接続するために、前記アンテナ選択信号を調節するように適合された請求項１９〜２３のいずれか一項に記載のシステム。
【請求項２５】
前記応答障害検出器が、前記出力データ・フレームの前記フレームの送信で開始する予め決めた時間間隔中に、前記入力データ・フレームの少なくとも１つの応答フレームを検出し、前記応答フレームが検出されない場合に、前記応答障害を示すように適合された応答欠如障害検出器を備える請求項２４に記載のシステム。
【請求項２６】
前記応答障害検出器が、前記出力データ・フレームの前記フレームの送信後に、前記入力データ・フレームの前記少なくとも１つの応答フレームで巡回冗長検査（ＣＲＣ）障害を検出し、前記ＣＲＣ障害が検出されると、前記応答障害を示すように適合されたＣＲＣ障害検出器を備える請求項２４または２５に記載のシステム。
【請求項２７】
前記フェージング検出器が、前記入力信号と前記出力信号のうち少なくとも一つの信号強度障害を検出するように適合された信号強度障害検出器を備え、前記アンテナ・セレクタは、前記信号強度障害が検出されると、前記ダイバーシチ・アンテナ・システムの前記異なるアンテナを前記送受信器に接続するために、前記アンテナ選択信号を調節するように適合された請求項１９〜２６のいずれか一項に記載のシステム。
【請求項２８】
前記信号強度障害検出器が、前記入力信号の強度の尺度である強度パラメータを測定する信号強度検出器と、
前記信号強度検出器に結合されて、前記測定された強度パラメータに基づいて閾値強度を動的に生成する閾値生成器と、
前記測定された強度パラメータを受信する第１入力部と前記動的に生成された閾値強度を受信する第２入力部とを有し、かつ前記測定された強度パラメータが前記動的に生成された閾値強度より下に低下した場合に、前記信号強度障害を示す出力部を有する比較器とを備える請求項２７に記載のシステム。
【請求項２９】
埋め込み式医療機器と通信するシステムであって、
出力信号を埋め込み式医療機器に送信し、入力信号を埋め込み式医療機器から受信するように構成された複数のアンテナを含むダイバーシチ・アンテナ・システムと、
外部システム制御装置と、
前記出力信号を変調することによって出力データ・フレームを送信するように、また前
記入力信号を復調することによって入力データ・フレームを受信するように適合された送受信器であって、
それぞれが前記ダイバーシチ・アンテナ・システムの１つのアンテナに結合された入力部と出力部を有する複数の受信モジュール、および
受信パス選択信号に従って、前記複数の受信モジュールのうち１つの受信モジュールの前記出力部を前記外部システム制御装置に接続するスイッチ回路を含む、前記送受信器と、
前記受信パス選択信号を生成するように適合されたアンテナ制御回路と
を備え、前記アンテナ制御回路が、
前記送受信器に結合され、前記複数の受信モジュールの各受信モジュールによって処理された前記入力信号の品質指示を生成するように適合された信号品質評価回路と、
前記送受信器に結合され、前記複数の受信モジュールのために生成された前記入力信号の前記品質指示に基づいて、前記受信パス選択信号を調節するように適合された受信パス・セレクタとを含むシステム。
【請求項３０】
前記信号品質評価回路が、前記複数の受信モジュールの各受信モジュールによって処理された前記入力信号から入力フレーム障害を検出するように適合された入力フレーム障害検出器を備え、前記受信パス・セレクタは、受信モジュールで前記入力フレーム障害が示されると、前記複数の受信モジュールのうちその受信モジュールを選択解除するように適合された請求項２９に記載のシステム。
【請求項３１】
前記入力フレーム障害検出器が、前記複数の受信モジュールの各受信モジュールによって処理された前記入力信号から巡回冗長検査（ＣＲＣ）障害を検出し、前記ＣＲＣ障害が検出されると、前記各受信モジュールの前記入力フレーム障害を示すように適合されたＣＲＣ障害検出器を備える請求項３０に記載のシステム。
【請求項３２】
前記入力フレーム障害検出器が、予め決めた時間ウィンドウ中に前記複数の受信モジュールの各受信モジュールによって処理された前記入力信号からのデータ・フレームを示すコンマを検出し、前記予め決めた時間ウィンドウ中に前記コンマが検出されない場合に、前記各受信モジュールの前記応答障害を示すように適合されたコンマ欠如検出器を備える請求項３０または３１に記載のシステム。
【請求項３３】
前記信号品質評価回路が、前記複数の受信モジュールの各受信モジュールによって処理された前記入力信号の強度の尺度である強度パラメータを測定するように適合された信号強度検出器を備える請求項２９〜３２のいずれか一項に記載のシステム。
【請求項３４】
前記受信パス・セレクタが、前記複数の受信モジュールの前記測定された強度パラメータに基づいて前記受信パス選択信号を調節するように適合された請求項３３に記載のシステム。
【請求項３５】
前記信号強度検出器が、前記複数の受信モジュールの各受信モジュールによって処理された前記入力信号に関連する入力信号強度障害を検出するように適合された入力信号強度障害検出器を備え、前記受信パス・セレクタは、前記入力信号強度障害が受信モジュールで示されると、前記複数の受信モジュールのその受信モジュールを選択解除するように適合された請求項３４に記載のシステム。
【請求項３６】
前記アンテナ制御回路がさらに、前記受信パス・セレクタと前記スイッチ回路の間に結合されたパス切り換えタイミング回路を備え、前記パス切り換えタイミング回路は、前記出力データ・フレームのフレームが送信されるか、前記入力データ・フレームのフレームが受信されている間に、前記受信パス選択信号を保留するように適合された請求項２９〜３５のいずれか一項に記載のシステム。
【請求項３７】
前記出力信号と前記入力信号がそれぞれ、振幅シフトキーイング（ＡＳＫ）によって変調され、前記送受信器が、前記出力信号を前記出力データ・フレームで変調するＡＳＫ変調器と、前記入力信号を復調することによって前記入力データ・フレームを回復するＡＳＫ復調器とを備える請求項２９〜３６のいずれか一項に記載のシステム。
【請求項３８】
埋め込み式医療機器と通信する遠隔測定システムを動作させる方法であって、
複数のアンテナを含むダイバーシチ・アンテナ・システムを使用して、出力信号を前記埋め込み式医療機器に送信し、入力信号を前記埋め込み式医療機器から受信することであって、前記出力信号を送信することが、前記出力信号を変調することによって出力データ・フレームを送信することを含み、前記入力信号を受信することが、前記入力信号を復調することによって入力データ・フレームを受信することを含む、ことと、
アンテナ選択信号に従って、アクティブ・アンテナになるように前記ダイバーシチ・アンテナ・システムのアンテナを選択することであって、前記アクティブ・アンテナは、前記出力信号の送信と前記入力信号の受信に使用される、ことと、
予め決めた通信プロトコルに基づいて入力信号監視信号を生成することと、
前記入力信号監視信号それぞれに応答して、前記入力信号の少なくとも１つの品質尺度を検出することによって、前記入力信号の品質指示を生成することと、
前記入力信号の前記品質指示に基づいて前記アンテナ選択信号を調節することとを含む方法。
【請求項３９】
前記出力データ・フレームを送信することが、前記出力データ・フレームの複数のデータ・フレームをそれぞれが含む多フレーム・メッセージを送信することを含む請求項３８に記載の方法。
【請求項４０】
前記入力信号監視信号を生成することが、前記予め決めた通信プロトコルに従って応答フレームの受信が予想される場合に、予め決めた応答時間間隔を計数開始することを含み、前記応答フレームは、前記入力データ・フレームの１つであり、前記埋め込み式医療機器に送信される前記出力データ・フレームの１つまたは複数のフレームに応答し、前記入力信号の少なくとも１つの品質尺度を検出することが、前記予め決めた応答時間間隔中に応答障害を検出することを含み、前記応答障害が、前記応答フレームに関連するデータ送信エラーである請求項３８または３９に記載の方法。
【請求項４１】
前記応答障害を検出することが、前記予め決めた応答時間間隔中に前記応答フレームを検出することを含み、前記応答障害は、前記予め決めた応答時間間隔中に前記応答フレームが検出されない場合に検出される請求項４０に記載の方法。
【請求項４２】
前記応答障害を検出することが、前記予め決めた応答時間間隔中に前記応答フレームの受信を示すコンマを検出することを含み、前記応答障害は、前記予め決めた応答時間間隔中に前記コンマが検出されない場合に検出される請求項４０または４１に記載の方法。
【請求項４３】
前記応答障害を検出することが、前記予め決めた応答時間間隔中に前記応答フレーム内の巡回冗長検査（ＣＲＣ）障害を検出することを含み、前記応答障害は、前記予め決めた応答時間間隔中に、前記ＣＲＣ障害が検出された場合に検出される請求項４０〜４２のいずれか一項に記載の方法。
【請求項４４】
さらに、前記応答フレームの受信が予想される場合に、アクティブ・アンテナになるように選択された前記ダイバーシチ・アンテナ・システムの第１アンテナを使用して、前記多フレーム・メッセージの１つの送信中に予め決めた非応答期間を開始することを含み、前記予め決めた応答時間間隔を計数開始することが、前記応答フレームの受信が予想され、１つまたは複数の後続の応答フレームそれぞれの受信が予想される場合に、前記多フレーム・メッセージの前記１つの送信中に、前記予め決めた応答時間間隔を計数開始することを含み、前記１つまたは複数の後続の応答フレームはそれぞれ、前記入力データ・フレームの１つであり、前記埋め込み式医療機器に送信される前記出力データ・フレームの１つまたは複数のフレームに応答する請求項４０〜４３のいずれか一項に記載の方法。
【請求項４５】
前記アンテナ選択信号を調節することが、前記予め決めた応答時間間隔中に前記応答障害が検出された場合に、アクティブ・アンテナになるように前記ダイバーシチ・アンテナ・システムの異なるアンテナを選択するために、前記アンテナ選択信号を調節することを含む請求項４４に記載の方法。
【請求項４６】
前記アンテナ選択信号を調節することがさらに、前記予め決めた非応答期間中に前記データ送信エラーがない状態で、前記入力データ・フレームを受信しない場合に、前記予め決めた非応答期間が尽きると、アクティブ・アンテナになるように前記ダイバーシチ・アンテナ・システムの第２アンテナを選択するために、前記アンテナ選択信号を調節することを含む請求項４５に記載の方法。
【請求項４７】
さらに、前記多フレーム・メッセージの１つを送信する前に、前記出力データ・フレームの試験フレームを送信させるアンテナ試験信号を生成することを含み、前記予め決めた応答時間間隔を計数開始することが、前記試験フレームの前記送信後に前記予め決めた応答時間間隔を計数開始することを含む請求項４０〜４６のいずれか一項に記載の方法。
【請求項４８】
前記アンテナ選択信号を調節することが、前記予め決めた応答時間間隔中に前記応答障害が検出された場合に、前記アクティブ・アンテナになるように前記ダイバーシチ・アンテナ・システムの異なるアンテナを選択するために、前記アンテナ選択信号を調節することを含む請求項４７に記載の方法。
【請求項４９】
前記予め決めた応答時間間隔を計数開始することが、前記応答フレームの受信が予想された場合に、前記多フレーム・メッセージの１つの送信中に前記予め決めた応答時間間隔を計数開始することを含む請求項４０〜４８のいずれか一項に記載の方法。
【請求項５０】
前記アンテナ選択信号を調節することが、前記多フレーム・メッセージの前記１つの送信中に前記応答障害が検出された場合、前記多フレーム・メッセージの前記１つの送信後に前記アクティブ・アンテナになるように前記ダイバーシチ・アンテナ・システムの異なるアンテナを選択するために、前記アンテナ選択信号を調節することを含む請求項４９に記載の方法。
【請求項５１】
さらに、それぞれが前記出力データ・フレームの所定数のデータ・フレームが送信される期間を含む送信期間を計時することを含み、前記予め決めた応答時間間隔を計数開始することが、前記応答フレームの受信が予想される場合に、前記各送信期間中に前記予め決めた応答時間間隔を計数開始することを含む請求項４０〜５０のいずれか一項に記載の方法。
【請求項５２】
前記アンテナ選択信号を調節することが、前記各送信期間中に前記応答障害が示された場合に、前記各送信期間の終了時に前記アクティブ・アンテナになるように前記ダイバーシチ・アンテナ・システムの異なるアンテナを選択するために、前記アンテナ選択信号を調節することを含む請求項５１に記載の方法。
【請求項５３】
前記入力信号監視信号を生成することが、前記多フレーム・メッセージの１つの送信前に信号強度計算信号を生成することを含む請求項３９〜５２のいずれか一項に記載の方法。
【請求項５４】
前記入力信号の前記品質指示を生成することが、
それぞれが前記ダイバーシチ・アンテナ・システムの１つのアンテナに関連する前記入力信号の強度を表している強度パラメータを測定することと、
前記測定された強度パラメータを記憶することと、
それぞれが前記強度パラメータの１つに関連し、前記信号強度計算信号に応答して、前記強度パラメータのその１つを測定するタイミングに関連する前記強度パラメータと重み係数に基づいて、それぞれが前記ダイバーシチ・アンテナ・システムの１つのアンテナに関連する信号強度指数を計算することとを含む請求項５３に記載の方法。
【請求項５５】
前記アンテナ選択信号を調節することが、前記信号強度指数に基づいて、前記アクティブ・アンテナになるように前記ダイバーシチ・アンテナ・システムのアンテナを選択するために、前記アンテナ選択信号を調節することを含む請求項５４に記載の方法。
【請求項５６】
埋め込み式医療機器と通信する遠隔測定システムを動作させる方法であって、
複数のアンテナを含むダイバーシチ・アンテナ・システムを使用して、出力信号を前記埋め込み式医療機器に送信し、入力信号を前記埋め込み式医療機器から受信することであって、前記出力信号を送信することが、前記出力信号を変調することによって出力データ・フレームを送信することを含み、前記入力信号を受信することが、前記入力信号を復調することによって入力データ・フレームを受信することを含む、ことと、
アンテナ選択信号に従って前記ダイバーシチ・アンテナ・システムからアクティブ・アンテナを選択することと、
ヌルに関連するとされた送信障害を検出することと、
前記送信障害の検出に応答して、前記ダイバーシチ・アンテナ・システムの異なるアクティブ・アンテナを選択するために、前記アンテナ選択信号を調節することと、
前記出力データ・フレームのフレームが送信されるか、前記入力データ・フレームのフレームが受信されている間に、前記アンテナ選択信号を保留することと、
前記調節されたアンテナ選択信号に従って、前記ダイバーシチ・アンテナ・システムから前記異なるアクティブ・アンテナを選択することとを含む方法。
【請求項５７】
前記アクティブ・アンテナを選択することが、前記入力信号を受信し、前記出力信号を送信するアンテナを選択することを含む請求項５６に記載の方法。
【請求項５８】
前記送信障害を検出することが、前記入力信号から入力フレーム障害を検出することを含み、前記入力フレーム障害が、前記入力データ・フレームの少なくとも１つのフレームにおけるデータ送信エラーであり、前記アンテナ選択信号を調節することが、前記入力フレーム障害が示された場合に、前記ダイバーシチ・アンテナ・システムから前記異なるアクティブ・アンテナを選択するために、前記アンテナ選択信号を調節することを含む請求項５６または５７に記載の方法。
【請求項５９】
前記送信障害を検出することが、前記入力データ・フレームから巡回冗長検査（ＣＲＣ）障害を検出することと、前記ＣＲＣ障害が検出された場合に、前記入力フレーム障害を示すこととを含む請求項５８に記載の方法。
【請求項６０】
前記送信障害を検出することが、前記予め決めた時間ウィンドウ中に前記入力データ・フレームのフレームの受信を示すコンマを検出することと、前記予め決めた時間ウィンドウ中に前記コンマが検出されない場合に、前記入力フレーム障害を示すこととを含む請求項５８または５９に記載の方法。
【請求項６１】
前記送信障害を検出することが、前記入力データ・フレームの少なくとも１つの応答フレームにおけるデータ送信エラーである応答障害を検出することを含み、前記少なくとも１つの応答フレームが、前記出力データ・フレームのフレームの送信に応答し、前記アンテナ選択信号を調節することが、前記応答障害が示された場合に、前記ダイバーシチ・アンテナ・システムから前記異なるアクティブ・アンテナを選択するために、前記アンテナ選択信号を調節することを含む請求項５６〜６０のいずれか一項に記載の方法。
【請求項６２】
前記応答障害を検出することが、前記出力データ・フレームの前記フレームの送信で開始する予め決めた時間間隔中に、前記入力データ・フレームの少なくとも１つの応答フレームを検出することと、前記応答フレームが検出されない場合に、前記応答障害を示すこととを含む請求項６１に記載の方法。
【請求項６３】
前記応答障害を検出することが、前記出力データ・フレームの前記フレームの送信後に、前記入力データ・フレームの少なくとも１つの応答フレームで巡回冗長検査（ＣＲＣ）障害検出器を検出し、前記ＣＲＣ障害が検出された場合に、前記応答障害を示すこととを含む請求項６１または６２に記載の方法。
【請求項６４】
前記送信障害を検出することが、前記入力信号と前記出力信号の少なくとも一つの信号強度障害を検出することを含み、前記アンテナ選択信号を調節することが、前記信号強度障害が示された場合に、前記ダイバーシチ・アンテナ・システムの前記異なるアンテナを選択するために、前記アンテナ選択信号を調節することを含む請求項５６〜６３のいずれか一項に記載の方法。
【請求項６５】
前記信号強度障害を検出することが、
前記入力信号の強度の尺度である強度パラメータを測定することと、
前記測定された強度パラメータに基づいて、動的に閾値強度を生成することと、
前記測定された強度パラメータが前記動的に生成された閾値強度より下に低下した場合に、前記信号強度障害を示すこととを含む請求項６４に記載の方法。
【請求項６６】
埋め込み式医療機器と通信する遠隔測定システムを動作させる方法であって、
複数のアンテナを含むダイバーシチ・アンテナ・システムを使用して、出力信号を前記埋め込み式医療機器に送信し、入力信号を前記埋め込み式医療機器から受信することであって、前記出力信号を送信することが、前記出力信号を変調することによって出力データ・フレームを送信することを含み、前記入力信号を受信することが、前記入力信号を復調することによって入力データ・フレームを受信することを含む、ことと、
それぞれが前記ダイバーシチ・アンテナ・システムの１つのアンテナに結合された複数の処理パスを通して、前記入力信号を処理することと、
前記複数の処理パスの各処理パスによって処理された前記入力信号の品質指示を検出することと、
検出された前記複数の処理パスに関連する前記品質指示に基づいて、前記複数の処理パスのうち処理パスを選択することとを含む方法。
【請求項６７】
前記品質指示を検出することが、前記複数の処理パスの各処理パスで入力フレーム障害を検出することを含み、前記処理パスを選択することが、前記入力フレーム障害が検出されない処理パスを選択することを含む請求項６６に記載の方法。
【請求項６８】
前記入力フレーム障害を検出することが、巡回冗長検査（ＣＲＣ）障害を検出することを含む請求項６７に記載の方法。
【請求項６９】
前記入力フレーム障害を検出することが、前記入力データ・フレームの入力データ・フレームを示すコンマの欠如を検出することを含む請求項６７または６８に記載の方法。
【請求項７０】
前記品質指示を検出することが、前記複数の処理パスの各処理パスによって処理された前記入力信号の強度の尺度である強度パラメータを測定することを含む請求項６６〜６９のいずれか一項に記載の方法。
【請求項７１】
前記処理パスを選択することが、前記複数の処理パスについて前記測定した強度パラメータに基づいて、前記複数の処理パスのうち前記処理パスを選択することを含む請求項７０に記載の方法。
【請求項７２】
前記強度パラメータを測定することが、前記複数の処理パスの各処理パスによって処理された前記入力信号に関連する入力信号強度障害を検出することを含み、前記処理パスを選択することが、前記入力信号強度障害が検出されない処理パスを選択することを含む請求項７１に記載の方法。
【請求項７３】
前記処理パスを選択することが、前記出力データ・フレームのフレームが送信されず、前記入力データ・フレームのフレームが受信されていない間に、前記処理パスを選択することを含む請求項６６〜７２のいずれか一項に記載の方法。
【請求項７４】
さらに、振幅シフトキーイング（ＡＳＫ）によって前記出力信号と前記入力信号それぞれを変調することを含む請求項６６〜７３のいずれか一項に記載の方法。